【手続補正書】
【提出日】平成27年1月22日(2015.1.22)
【手続補正１】
【補正対象書類名】特許請求の範囲
【補正対象項目名】全文
【補正方法】変更
【補正の内容】
【特許請求の範囲】
【請求項１】
センサの検出結果に基づいてユーザの行動パターンを検出するために用いる行動パターンデータベースを更新するＤＢ更新部と、
前記ユーザが入力したテキスト情報に基づいて、前記ユーザの行動パターンに関する情報を得るテキスト情報解析部と、
を備え、
前記ＤＢ更新部は、前記テキスト情報から前記行動パターンに関する情報が得られた場合に、得られた情報を利用して前記行動パターンデータベースを更新する、
情報処理装置。
【請求項２】
前記テキスト情報解析部は、前記行動パターンに関する情報の第１の信頼度を算出し、
前記ＤＢ更新部は、前記第１の信頼度が所定の第１の閾値を超えた場合に、前記テキスト情報から得られた前記行動パターンに関する情報を利用して前記行動パターンデータベースを更新する、
請求項１に記載の情報処理装置。
【請求項３】
前記ユーザにより前記テキスト情報が入力された機器により検出された音に関する情報に基づいて、行動パターンに関する情報を得る音情報解析部と、
をさらに備え、
前記ＤＢ更新部は、前記音に関する情報から前記行動パターンに関する情報が得られた場合に、得られた情報を利用して前記行動パターンデータベースを更新する、
請求項１又は２に記載の情報処理装置。
【請求項４】
前記音情報解析部は、前記行動パターンに関する情報の第２の信頼度を算出し、
前記ＤＢ更新部は、前記第２の信頼度が所定の第２の閾値を超えた場合に、前記音に関する情報から得られた前記行動パターンに関する情報を利用して前記行動パターンデータベースを更新する、
請求項３に記載の情報処理装置。
【請求項５】
前記音に関する情報をテキスト情報に変換する音声認識部をさらに備え、
前記テキスト情報解析部は、前記音声認識部により変換されたテキスト情報及び前記ユーザが入力したテキスト情報から前記行動パターンに関する情報を得る、
請求項３又は４に記載の情報処理装置。
【請求項６】
センサの検出結果に基づいてユーザの行動パターンを検出するために用いる行動パターンデータベースであって、前記ユーザが電子機器に入力したテキスト情報から行動パターンに関する情報が得られた場合に、得られた情報を利用して更新される前記行動パターンデータベースにアクセスする通信部と、
前記センサの検出結果及び前記テキスト情報に対応する行動パターンに関する情報を前記行動パターンデータベースから取得する行動パターン情報取得部と、
を備える、
電子機器。
【請求項７】
センサの検出結果に基づいてユーザの行動パターンを検出するために用いる行動パターンデータベースを更新するステップを含み、
前記ユーザが入力したテキスト情報から行動パターンに関する情報が得られた場合に、得られた情報を利用して前記行動パターンデータベースが更新される、
情報処理方法。
【請求項８】
センサの検出結果に基づいてユーザの行動パターンを検出するために用いる行動パターンデータベースであって、前記ユーザが電子機器に入力したテキスト情報から行動パターンに関する情報が得られた場合に、得られた情報を利用して更新される前記行動パターンデータベースにアクセスするステップと、
前記センサの検出結果及び前記テキスト情報に対応する行動パターンに関する情報を前記行動パターンデータベースから取得するステップと、
を含む、
情報処理方法。
【請求項９】
センサの検出結果に基づいてユーザの行動パターンを検出するために用いる行動パターンデータベースを更新するＤＢ更新機能と、
前記ユーザが入力したテキスト情報に基づいて、前記ユーザの行動パターンに関する情報を得るテキスト情報解析機能と、
をコンピュータに実現させるためのプログラムであり、
前記ＤＢ更新機能は、前記テキスト情報から前記行動パターンに関する情報が得られた場合に、得られた情報を利用して前記行動パターンデータベースを更新する、
プログラム。
【請求項１０】
センサの検出結果に基づいてユーザの行動パターンを検出するために用いる行動パターンデータベースであって、前記ユーザが電子機器に入力したテキスト情報から行動パターンに関する情報が得られた場合に、得られた情報を利用して更新される前記行動パターンデータベースにアクセスする通信機能と、
前記センサの検出結果及び前記テキスト情報に対応する行動パターンに関する情報を前記行動パターンデータベースから取得する行動パターン情報取得機能と、
をコンピュータに実現させるためのプログラム。
【手続補正２】
【補正対象書類名】明細書
【補正対象項目名】００６４
【補正方法】変更
【補正の内容】
【００６４】
図１５に示すように、行動・状況認識システム１０は、主に、音響情報取得部１０１と、音響情報解析部１０２と、テキスト情報取得部１０３と、テキスト情報解析部１０４と、動き・状態パターン更新部１０５と、動き・状態パターンデータベース１０６と、行動パターン更新部１０７と、行動パターンデータベース１０８とを有する。
【手続補正３】
【補正対象書類名】明細書
【補正対象項目名】００８９
【補正方法】変更
【補正の内容】
【００８９】
行動パターン更新部１０７は、音響信号の確信度に関する判断結果と、テキスト情報の確信度に関する判断結果とを考慮して行動パターンデータベース１０８の更新処理を実行する。行動パターン更新部１０７は、音響信号の確信度とテキスト信号の確信度の認識が異なる場合は、行動パターンデータベース１０８を更新しない。
【手続補正４】
【補正対象書類名】明細書
【補正対象項目名】００９２
【補正方法】変更
【補正の内容】
【００９２】
例えば、音響信号の確信度が第１の音響閾値よりも大きく、かつ、テキスト情報の確信度が第１のテキスト閾値よりも小さい場合、行動パターン更新部１０７は、音響信号の解析により得られた行動・状況パターンにて行動パターンデータベース１０８を更新する。一方、音響信号の確信度が第１の音響閾値よりも小さく、かつ、テキスト情報の確信度が第１のテキスト閾値よりも大きい場合、行動パターン更新部１０７は、テキスト情報の解析により得られた行動・状況パターンにて行動パターンデータベース１０８を更新する。また、音響信号の確信度が第１の音響閾値よりも小さく、かつ、テキスト情報の確信度が第１のテキスト閾値よりも小さい場合、行動パターン更新部１０７は、行動・状況パターンデータベース１０８を更新しない。
【手続補正５】
【補正対象書類名】明細書
【補正対象項目名】００９８
【補正方法】変更
【補正の内容】
【００９８】
処理をステップＡ（図１７を参照）へと進めると、行動・状況認識システム１０は、音響情報取得部１０１の機能により、環境音の音響信号を取得する（Ｓ１０８）。次いで、行動・状況認識システム１０は、テキスト情報取得部１０３の機能により、テキスト情報を取得する（Ｓ１０９）。次いで、行動・状況認識システム１０は、音響情報解析部１０２の機能により、環境音の音響信号から環境推定結果（上記の行動パターン及び確信度（音響由来情報））を得て、環境推定結果の信頼度（上記の確信度）が所定の閾値（上記の音響閾値）より大きいか否かを判定する（Ｓ１１０）。信頼度が所定の閾値よりも大きい場合、行動・状況認識システム１０は、処理をステップＳ１１２へと進める。一方、信頼度が所定の閾値よりも小さい場合、行動・状況認識システム１０は、処理をステップＳ１１１へと進める。